(57)【要約】      （修正有）【課題】骨盤位置等の矯正及び腹筋等の強化の両方に利用できる運動器具を提供する。【解決手段】足首保持具６と足首保持具７とを、床４上に立設されている円弧状の案内用架設部１に沿って自在に移動できるように取付け、該案内用架設部１が立設されている床４の上に、仰向けになっている利用者が、自己の左右両足首をそれぞれ上記足首保持具６及び足首保持具７に取付け、自力で該足首保持具６及び足首保持具７を案内用架設部１に沿って移動するような構成にした。【選択図】図１
0003146416.tif 000002
【実用新案登録請求の範囲】
【請求項１】
円弧状の案内用架設部と、
上記案内用架設部の両端部にそれぞれ取付けられて、当該案内用架設部を床等の上に立設する２個の立設部材と、
上記案内用架設部が上記２個の立設部材により立設されている床等の上に、当該２個の立設部材を結ぶ線分の中心点付近に足側を向け且つ当該線分に概ね直角になるように仰向けになっている使用者の両足首をそれぞれ保持した状態で、該案内用架設部に沿って自在に移動できるように該案内用架設部に取付けられている２個の足首保持具と、
を備えることを特徴とする運動器具。
【請求項２】
両端部からの長さが等しい位置での接線に垂直な線に対して線対称になっている楕円弧（楕円の一部分の周をいう。）状の案内用架設部と、
上記案内用架設部の両端部にそれぞれ取付けられて、当該案内用架設部を床等の上に立設する２個の立設部材と、
上記案内用架設部が上記２個の立設部材により立設されている床等の上に、当該２個の立設部材を結ぶ線分の中心点付近に足側を向け且つ当該線分に概ね直角になるように仰向けになっている使用者の両足首をそれぞれ保持した状態で、当該案内用架設部に沿って自在に移動できるように当該案内用架設部に取付けられている２個の足首保持具と、
を備えることを特徴とする運動器具。
【請求項３】
上記足首保持具を上記案内用架設部に沿って移動する際に、当該移動に抵抗する負荷を発生する負荷機構を備えていることを特徴とする請求項１又は２記載の運動器具。
【考案の詳細な説明】
【技術分野】
【０００１】
本考案は、骨盤位置の矯正、腹筋の強化、Ｘ脚・Ｏ脚の矯正、内転筋・外転筋の強化等のために利用される運動器具に関する。
【背景技術】
【０００２】
従来、骨盤位置等の矯正を目的とする運動器具に関しては、多数の提案がなされてきた（例えば、下記特許文献１、２）。また腹筋等の強化を目的とする運動具に関しても多数の提案がなされてきた（例えば下記特許文献３、４）。
【特許文献１】特開２００１−７０３２６号公報
【特許文献２】特開２００２−３４５８６９号公報
【特許文献３】特開平７−３１３６２６号公報
【特許文献４】特開平８−１０３４８２号公報
【考案の開示】
【考案が解決しようとする課題】
【０００３】
上記のように、骨盤位置等の矯正及び腹筋等の強化のそれぞれ一方を目的とする運動器具についての提案は多数あった。しかし、骨盤位置等の矯正と腹筋等の強化との両方を可能とする運動器具についての提案は、皆無であった。
本願考案は、上記のような事情に鑑みてなされたものであり、骨盤位置等の矯正と腹筋等の強化との両方を可能とする運動器具の提供を目的としている。
【課題を解決するための手段】
【０００４】
請求項１の考案では、運動器具を以下のように構成した。すなわち、円弧状の案内用架設部と、
上記案内用架設部の両端部にそれぞれ取付けられて、当該案内用架設部を床等の上に立設する２個の立設部材と、
上記案内用架設部が上記２個の立設部材により立設されている床等の上に、当該２個の立設部材を結ぶ線分の中心点付近に足側を向け且つ当該線分に概ね直角になるように仰向けになっている使用者の両足首をそれぞれ保持した状態で、該案内用架設部に沿って自在に移動できるように該案内用架設部に取付けられている２個の足首保持具と、
を備える構成した。
【０００５】
請求項２の考案では、運動器具を以下のように構成した。すなわち、両端部からの長さが等しい位置での接線に垂直な線に対して線対称になっている楕円弧（楕円の一部分の周をいう。）状の案内用架設部と、
上記案内用架設部の両端部にそれぞれ取付けられて、当該案内用架設部を床等の上に立設する２個の立設部材と、
上記案内用架設部が上記２個の立設部材により立設されている床等の上に、当該２個の立設部材を結ぶ線分の中心点付近に足側を向け且つ当該線分に概ね直角になるように仰向けになっている使用者の両足首をそれぞれ保持した状態で、当該案内用架設部に沿って自在に移動できるように当該案内用架設部に取付けられている２個の足首保持具と、
を備える構成にした。
【０００６】
請求項３の考案では、請求項１又は２記載の運動器具に、当該運動具における足首保持具を案内用架設部に沿って移動する際に、当該移動に抵抗する負荷を発生する負荷機構を追加する構成にした。
【考案の効果】
【０００７】
以上詳述したように、本願考案によると、骨盤位置等の矯正及び腹筋等の強化の両方に利用できる運動器具の提供を可能になる。
【考案を実施するための最良の形態】
【０００８】
以下、図面に基づいて本考案を実施するための最良の実施の形態を説明する。  図１は、本実施の形態の構成を説明するための図であり、同図において案内用架設部１は、第１円弧材１ａと第２円弧材１ｂからなり、軽金属製となっている。当該第１円弧材１ａ及び第２円弧材１ｂは、何れも同じ長さの半円弧（ある１つの円の半周の部分の円弧）状の部材からなり、それらの断面も同一大きさの略矩形になっており、両者は、図示のように一定間隔をあけて対向し、次に説明する立設部材２、３により、一体化されている。
上記立設部材２は、上記対向している第１円弧材１ａ及び第２円弧材１ｂの一方の対向する端部対を、該運動器具が設置される床４上に垂直に立設するように該端部対のそれぞれの端部を定着しており、また上記立設部材３は、上記対向している第１円弧材１ａ及び第２円弧材１ｂの他の対向する端部対を、上記床４上に垂直に立設するように該端部対のそれぞれの端部を定着している。
そして、上記第１円弧材１ａと第２円弧材１ｂの対向する内側面には、両端間に亘って、それぞれ断面がコの字形の溝５ａ、５ｂ（第１円弧材１ａに形成されている溝５ａは図示されていない）が対向して形成されている。
【０００９】
２つの足首保持具６、７は、同一構造で、案内用架設部１に対する関係も同様になっているので、足首保持具６について説明する。足首保持具６において、足首載置用円弧板６ａは、アルミ合金板を上方に開いた円弧状（即ち断面が上方に開いたＣの字状）に曲げ加工して成形された部材である。そして、この足首載置用円弧板６ａの中央部（底の部分）はその下のアルミ合金製の台部６ｂにネジ止めされている。また、上記台部６ｂの下端部には、図示しない２本の軸即ち金属棒が上記足首載置用円弧板６ａの中央部（底の部分）に沿っての方向と平行に軸止されている。そして上記２本の軸の両端には、上記溝５ａ、５ｂ内に遊嵌されている樹脂製の小車輪がベアリングを介して回動自在に取付けられている。このような構造になっているので、溝５ａ、５ｂ内で遊嵌状態の上記小車輪の溝内での回転により、足首保持具６は半円弧状の案内用架設部１に沿って移動自在になっている。なお、上記のように足首保持具７も同様である。 
【００１０】
図２は、上記実施の形態を利用しての運動方法を説明するものである。即ち、当該実施の形態を利用して運動する場合、先ず、利用者は、案内用架設部１が立設されている床４の上に、２個の立設部材２、３を結ぶ線分の中心点付近に足側を向け且つ当該線分に概ね直角になるように仰向けになる。次いで、利用者は、図示のように自己の左右両足首をそれぞれ２個の足首保持具６、７の足首載置用円弧板６ａ、７ａ上にそれぞれセットして、この状態で自力により足首即ち足首保持具６、７を案内用架設部１に沿って移動して運動をする。この場合、両足首を案内用架設部１の中央部に寄せた後にそれぞれ両端部に開くという動作を繰り返すようにしてもよく、また両足首を略一定間隔に保ったままに、交互に両端部へ移動して利用者の腰を両側へ交互にねじるようにしてもよい。このような運動が、骨盤位置等の矯正及び内外腹斜筋等の腹筋の強化の両方に極めて有効である。
【００１１】
なお、本願考案の範囲は、上記実施の形態に限定されず、種々変形応用が可能である。例えば、本実施の形態では足首保持具６、７を足首載置用円弧板６ａ、７ａを利用するものとしたが、足首を挿入する短い管或いはリングを利用するものとしても良く、この場合は足首を案内用架設部１の上側を移動させるものに限らず、足首を案内用架設部１の下側を移動させるもの（即ち足首を吊り下げた状態で移動させるもの）でも良い。
【００１２】
また、本実施の形態では、案内用架設部１を第１円弧材１ａと第２円弧材１ｂとからなる２レール方式のものとしたが、これをモノレール方式のものとしても良いことは無論である。なお、この場合には足首保持具は、該モノレールをその上面及び両側面で樹脂製等の小車輪を用いて挟持することになる。
【００１３】
更に、本実施の形態では、足首保持具６、７を、特別の力を要さずに案内用架設部１に沿って移動できるものとしたが、例えば足首保持具６、７の間、或いは足首保持具６、７と立設部材２，３との間をコイルバネで繋ぎ、足首保持具６、７を案内用架設部１に沿って移動する際に、当該移動に抵抗する負荷を発生するようにしても良い。また案内用架設部を円弧状ではなく、左右対称な楕円弧状にして、足首保持具はそれに沿って楕円弧状に移動するようにしても良い。
また、本実施の形態では、案内用架設部１を、床４に垂直に立設するものとしたが、これを垂直からずらしたもの即ち図2で説明すると、案内用架設部を同図の使用者側或いはその反対側に幾分倒した状態で立設しても良いことは無論である。
【産業上の利用可能性】
【００１４】
本考案は、骨盤位置等の矯正及び腹筋等の強化の両方に利用できる運動器具の製造に係る産業において利用される可能性が大である。
【図面の簡単な説明】
【００１５】
【図１】本願考案の一実施の形態の構成等を示す図である。
【図２】上記実施の形態を利用した運動方法を説明するための図である。
【符号の説明】
【００１６】
１  案内用架設部  
１ａ  第１円弧材
１ｂ  第２円弧材
２  立設部材
３  立設部材
４  床
５ａ  溝
６  足首保持具
７  足首保持具
【図１】
0003146416.tif 000003
【図２】
0003146416.tif 000004